(57)【特許請求の範囲】
【請求項１】
支持基台と、上記支持基台の一端部に設けられ、粘着テープを支持するテープ支持部と、粘着テープの引き出し路における粘着テープ側に設けられ、引き出されたテープに接触可能な位置にその上端が配置された第一回動板と、上記基台の他端部に設けられ、テープ切断位置となるストッパーと、上記第一回動板と上記ストッパーの間に下端部が支持された回動刃と、上記回動刃を常時テープ側に付勢する付勢手段と、上記回動刃と上記第一回動板との間に設けられ、引き出されたテープに接触可能な位置にその上端が配置された第二回動板を備え、上記回動刃は、常時上記第二回動板に接触するとともに、上記回動刃の上端はテープを引き出し切断するとき以外は上記第二回動板の上端よりも引き出されたテープに対して遠い位置にあり、上記回動刃が上記付勢手段の付勢力に抗して上記ストッパーに当接するまで回動した時、上記回動刃の上端が、上記第二回動板の上端よりもテープに近づくように構成するとともに、上記第二回動板がテープ側に回動した場合上記第一回動板との間に隙間ができるように上記第一回動板の手前で上記第二回動板を止め、テープの切断端部に折り返し部が自動的に形成されるのを阻止するための回帰ストッパーを設けたテープカッター。
【請求項２】
上記回帰ストッパーは、第二回動板がテープ側に回動した場合、第二回動板が第一回動板に接触することができる第一の位置と、第二回動板を第一回動板との間に間隔を形成する位置で止める第二の位置の間で動く事が出来る位置可変ストッパーである請求項１記載のテープカッター。
【発明の詳細な説明】
【技術分野】
【０００１】
本発明は粘着テープを引き出し、粘着テープの切断端部に折り返し部が形成出来るテープカッターに関するものである。          
【背景技術】
【０００２】
テープ端部に折り返し部を形成できるテープカッターとしては下記特許文献のようなものが提案されている。
特許文献１の場合は台座に搭載された粘着テープと同じ台座に設置されたテープカッター刃との間に固定接着部と可動接着部となる揺動板の、2つのテープ接着部を設け、粘着テープより引き出された粘着テープを固定接着部側に付勢された可動接着部に貼り付けた状態で切断刃まで引き出し、切断後スプリングで2つの接着部間に張られた粘着テープの可動接着部を元の固定接着部に回動させる事により、粘着テープの粘着面を内側となるテープの輪を形成する構成となっている。
【０００３】
又切断されたテープに折り返し部を必要としない場合、テープを引き出し固定接着部や可動接着部に触れないように上方にテープを引き出しながら切断刃まで来た時に、引き出されたテープを下ろし切断刃で切断することで折り返し部の無いテープが出来るが、操作性が悪く、刃も常時上向きに出ており安全ではないと言う問題点がある。
【０００４】
特許文献２の場合は、テープを引き出し第二回動板に貼り付けストッパーまで引き出すと、ストッパーに来る直前に第一回動板に貼りつき同時に、刃が第二回動板より上に出る事でテープの切断が出来る。同時に切断刃に設けられたトーションバネにより、切断刃は第二回動板と共に第一回動板側に回動し、第二回動板先端部に貼り付いたテープと第一回動板先端部に貼り付いた部分が当接しリング状の折り返し部が出来るが、テープ端部に折り返し部を必要とせず切断のみをしたい場合、第二回動板をストッパーまで回動させないと切断刃が第二回動板先端部より下に下がった状態になっている為不都合であると言う問題点がある。
【先行技術文献】
【特許文献】
【０００５】
【特許文献１】特開  ２００６−８４０６  公報
【特許文献２】特開  ２０１２−１１１５８４公報
【発明の概要】
【発明が解決しようとする課題】
【０００６】
本発明は上記のような問題を解決し、必要に応じて切断端部に折り返し部を有するテープと、折り返し部のないテープを選択して得ることができるテープカッターを提供しようとするものである。
【課題を解決するための手段】
【０００７】請求項１の発明は、支持基台と上記支持基台の一端部に設けられ、粘着テープを支持するテープ支持部と、粘着テープの引き出し路における粘着テープ側に設けられ、上端部が引き出された粘着テープに接触可能な位置に配置された第一回動板と、上記支持基台の他端部に設けられ、粘着テープ切断位置となるストッパーと、上記第一回動板と上記ストッパーの間に下端部が支持された回動刃と、上記回動刃を常時粘着テープ側に付勢する付勢手段と、上記回動刃と上記第一回動板との間に設けられ、上端が引き出された粘着テープに接触可能な位置に配置された第二回動板を備え、上記回動刃の上端は常時第二回動板の上端よりも引き出された粘着テープに対して遠い位置にあり、上記回動刃が上記付勢手段の付勢力に抗して、上記ストッパーに当接するまで回動した時、上記回動刃の上端が、上記第二回動板の上端よりも粘着テープに近づくように構成するとともに、この第二回動板と第一回動板との間に第二回動板がテープ側に回動した場合第一回動板との間に隙間が出来る様に第一回動板手前で第二回動板を止めることができる回帰ストッパーを設けた。【０００８】
請求項２の発明は、上記回帰ストッパーを、第二回動板がテープ側に回動した場合、第二回動板が第一回動板に接触することができる第一の位置と、第二回動板を第一回動板との間に間隔を形成する位置で止める第二の位置の間で動く事が出来る位置可変ストッパーとした。
【発明の効果】
【０００９】
請求項１の発明によれば、必要に応じて，簡単な操作で、テープ端部に折返し部を有するテープと、折り返し部のないテープを選択して得ることができる。
【００１０】
請求項２の発明によれば、ストッパーの位置を切り換えることにより、テープ端部に折り返し部のあるテープと、折り返し部のないテープの選択された方を、自動的に得ることができる。
【図面の簡単な説明】
【００１１】
【図１】本発明の第一の実施例のテープカッター側面図
【図２】同  動作図の側面図
【図３】本発明の第二の実施例のテープカッター側面図
【図４】同  動作側面図
【図５】同  実施例動作モードを変えた時の側面図
【図６】同  実施例動作モードを変えた時の動作側面図
【図７】第二の実施例のストッパー部分を示す斜視図
【図８】同  正面図
【図９】第二の他の実施例を示す斜視図
【図１０】同  側面図
【発明を実施するための形態】
【００１２】
本発明の実施形態を、図面を用いて説明する。
図1は全体の構成を示す。本発明のテープカッターは重量の有る支持基台２２の一端部に、着脱及び回転可能に保持される回転軸部材２３が設けられている。回転軸部材２３は粘着テープ１１の環状の芯１１aが着脱自在に嵌められるように構成された支持基台２２の長さ方向の中間部に保持される。
【００１３】
支持基台２２の他端部には回転軸部材２３の中心位置よりも若干高い位置まで伸びる起立部24が形成され、起立部２４には、粘着テープ１１の切断を行う回動刃３７の切断位置としてのストッパー３９が設けられている。このストッパー３９と粘着テープ１１の間が所望長さに切断される粘着テープ１１を引き出す引き出し路である。
【００１４】
回動刃３７よりも粘着テープ１１側に、先端部に被粘着部３３を有する第一回動板３０が回動軸３１と共に設けられ、この第一回動板３０は固定部３２と４１の間の僅かな距離を回動する。第二回動板３４は第二回動軸３６により回動可能に支持され、ストッパー３９まで回動するが、この第二回動板３４とストッパー３９の間に回動刃３７が回動刃軸３８によって回動可能に支持されるように設けられ、常に回動刃３７をテープ１１側に付勢するトーションバネ４０が備えられている為、回動刃３７は第二回動板３４をテープ１１側に押し付けている。
【００１５】
４２０は、第二回動板３４の戻り位置を決める回帰ストッパーであり、第二回動板３４が回帰ストッパー４２０で止まっている時は、回動刃３７の切断刃先端部は第二回動板３４の先端部３５より下に位置するように構成されている。第二回動板３４の先端部３５は幅全体にわたって第一回動板３０側に折曲されており、第二回動板３４の先端部３５が引き出された粘着テープに張り付きストッパー３９まで引き出された時、回動刃3７の先端部の切断刃部分がテープ切断に必要な分だけその第二回動板３５の先端部３５より上に出るように構成されている。
【００１６】
この様に構成されたテープカッターは次のように使用される。
図２に実線で示すように、粘着テープ１１の引き出しを行い、第二回動板３４の先端部３５に粘着テープを貼り付けストッパー３９まで引き出すと、このストッパー３９の位置に来る直前に、引き出されたテープが第一回動板３０に貼り付き、同時に回動刃３７の先端部の切断刃が第二回動板３４の先端部３５より上に出てくる為、切断動作により粘着テープは切断できる。
【００１７】
切断と同時に点線で示すように回動刃３７がトーションバネ４０により第一回動板３０方向に回動し、第二回動板３４も第一回動板３０方向に回動するが、第二回動板３４先端部３５が回帰ストッパー４２０に近づくと回動刃３７の先端部は第二回動板３４の先端部３５より下に下がり、テープの貼り付いた第二回動板３４の先端部３５は回帰ストッパー４２０で止まる。この時テープの先端部が張り付いている第二回動板３４の先端部３５と第一回動板３０の先端部３３との間に僅かの隙間が出来る事で、ループ状にはなっていない、折り曲げ部120が形成される。なおこの時同時に第一回動板３０は僅かテープ１１側に戻る為、テープ25に若干のたるみが生じ張力が無くなる事により第一回動板３０先端部３３に張り付いた粘着テープの剥がれを解消する事となり確実に折り曲げ部120が出来る。
この状態で、端部に折り返し部のあるテープが必要な場合には、折り曲げ部１２０を手でつまむことにより、テープ先端部の粘着面が対向する部分の粘着面に張り付いて、折り返し部が形成され、そのままテープを引出し、切断を行えば、切断端部に折り返し部のあるテープを得ることができる。
また、テープの端部をそのままにして、テープの引き出し、切断を行えば、切断端部に折り返しのないテープを得ることができる。
このようにして簡単な操作で、端部にあり返し部のあるテープと、折り返し部のないテープを必要に応じて、選択して得ることができる。
【００１８】
次に回帰ストッパーを可動ストッパーにした第二の実施例を図３、図４、図５および図６を用いて説明する。これらの図において、４２５は可動ストッパーであり、長穴４３０に沿って上下に動くことができるように構成されている。図３は、可動ストッパー４２５を下側に下げた状態を示す側面図である。他の部分の構成は図１、図２に示した実施例の構成と同じであるので、同じ符号をつけその説明は省く。以下第２の実施例のテープカッターの使い方を説明する。引き出されたテープを第二回動板３４の先端部３５に貼り付け、ストッパー３９まで引き出すと、その直前に第一回動板３０の先端部３３にも貼り付き、同時に回動刃３７の切断刃部分が第二回動板３４の先端部３５より上に出る事でテープの切断が出来る。切断と同時に回動刃３７がトーションバネ４０により第一回動板３０方向に回動し図４の点線で示すようにテープの貼り付いた第二回動板３４の先端部３５は回動刃３７と共に第一回動板３０の先端部３３に当接することでテープ端部に自動的に折り返し部が出来る。  
図５に示すように可動ストッパー４２５を上方に上げた場合、第１の実施例の回帰ストッパー４２０と同じ位置となり図６の実線のように引き出されたテープを切断する事で、第二回動板３４はトーションバネ４０により第一回動板３０方向に回動し、第二回動板３４の先端部３５は回動刃３７と共に可動ストッパー４２５で止まり、図６の点線で示すように、第一回動板３０の先端部３３との間に僅かな隙間が出来、テープは折り曲がった状態となり、第１の実施例と同じ使い方が出来る。
図７と図８はこの可動ストッパー４２５の具体的構造の一例を示す。４４０は可動ストッパー４２５を長穴４３０及び４３０Ａに沿って上下に動かすためのつまみであり、可動ストッパー４２５の動きに抵抗を与え不必要な動きを制限するための手段を必要に応じて付加することもできる。又他の方法として図９と図１０に示すように第一回動板３０の正面上部にスプリング４７０を介在させたネジ４６０を設ける事で、ネジ４６０を締めこんだ場合第二回動板３４の先端部３５と第一回動板３０の先端部３３との間に隙間が出来、又緩める事で第二回動板３４の先端部３５と第一回動板３０の先端部３３が当接する事が出来、上記可動ストッパー４２５を上下に動かすのと同じ機能を与えることができる。
【産業上の利用可能性】
【００１９】
粘着テープの使用状態は殆どが仮止めとして使用されており確実に接着する場合には耐久性及び信頼性の面から使用されることは極めて少なく、貼り付けた場合極めて剥がしにくく、そこで簡単に剥がせることが出来れば仮止めの目的がさらに達成でき、貼り付けられた包装紙等を剥がす場合、傷や汚れが最小限に留める事が出来る。
【００２０】
且つそれらの再利用も出来るなどエコにも繋がるメリットがある、又切断刃は使用しない時には表面には出ない為、切断能力の高い良く切れる切断刃を装着できる事により操作性も良く、どの様な環境にも安全に使用できる。又折り返し部を必要としない場合は切断するだけでよく、その操作方法も同じで使途により簡単に選択が出来る。
【符号の説明】
【００２１】１１・・・粘着テープ
１１ａ・・・粘着テープの芯
１２・・・折り返し部
１２０・・・折り曲げ部
２１・・・テープカッター
２２・・・支持基台
２３・・・回転軸部材
２４・・・起立部
２５・・・引出し路
３０・・・第一回動板
３１・・・第一回動板軸
３２・・・固定部１
３３・・・第一回動板先端部
３４・・・第二回動板
３５・・・第二回動板先端部
３６・・・第二回動板軸
３７・・・回動切断刃
３８・・・回動刃軸
３９・・・ストッパー
４０・・・トーションバネ
４１・・・固定部２
４２０・・・回帰ストッパー
４２５・・・可動ストッパー
４３０・・・長穴
４４０・・・つまみ
４６０・・・ネジ
４７０・・・スプリング
【要約】      （修正有）【課題】必要に応じて切断端部に折り返し部を有するテープと、折り返し部のないテープを選択して得ることができるテープカッターの提供。【解決手段】粘着テープ引出し路２５における粘着テープ側に、上端部３３がテープに接触可能な位置に配置された第一回動板３０を設け、テープ切断位置となるストッパー３９、第一回動板とストッパーの間に下端部が支持された回動刃３７、回動刃と第一回動板との間に、上端３５がテープに接触可能な位置に配置された第二回動板３４を設け、付勢手段４０によるテープ側への付勢力のため、回動刃上端はテープ切断時以外常時第二回動板上端よりも引き出されたテープに対して遠い位置にあり、回動刃をストッパーまで回動した時、回動刃上端が第二回動板上端よりもテープに近づくように構成するとともに、第二回動板がテープ側に回動した場合、第一回動板、第二回動板間に隙間が出来る様に回帰ストッパー４２０を設ける。【選択図】図１【図１】
0005704477.tif 000002
【図２】
0005704477.tif 000003
【図３】
0005704477.tif 000004
【図４】
0005704477.tif 000005
【図５】
0005704477.tif 000006
【図６】
0005704477.tif 000007
【図７】
0005704477.tif 000008
【図８】
0005704477.tif 000009
【図９】
0005704477.tif 000010
【図１０】
0005704477.tif 000011